(57)【特許請求の範囲】
【請求項１】
監視領域を撮影する撮像手段を有する画像監視装置と、前記撮像手段が撮影した画像を監視する監視センタ装置とからなる画像監視システムにおいて、
前記画像監視装置は、
前記撮像手段のほかに、前記撮像手段により撮影した画像及び前記監視領域の現状態を通信回線を介して前記監視センタ装置に送出する伝送手段と、
前記監視センタ装置からの画像要求信号を受信すると、前記伝送手段により画像を送出させる制御手段とを有し、
前記監視センタ装置は、
前記画像監視装置から受信した前記現状態を記憶する記憶手段と、
前記画像監視装置から受信した前記監視領域の画像を表示する表示手段と、
監視員による画像要求操作を入力する操作手段と、
前記画像要求操作が入力されると前記画像監視装置に対して前記画像要求信号を送出する送出手段と、
前記画像要求操作が入力されたときに前記記憶手段に正常状態が記憶されている場合は、前記送出手段による前記画像要求信号の送出を阻止する阻止手段とを有する
ことを特徴とする画像監視システム。
【請求項２】
監視領域を撮影する撮像手段を有する画像監視装置と、前記撮像手段が撮影した画像を監視する監視センタ装置とからなる画像監視システムにおいて、
前記画像監視装置は、
前記撮像手段のほかに、前記撮像手段により撮影した画像及び前記監視領域の警備モードを通信回線を介して前記監視センタ装置に送出する伝送手段と、
前記監視センタ装置からの画像要求信号を受信すると、前記伝送手段により画像を送出させる制御手段とを有し、
前記監視センタ装置は、
前記画像監視装置から受信した前記警備モードを記憶する記憶手段と、
前記画像監視装置から受信した前記監視領域の画像を表示する表示手段と、
監視員による画像要求操作を入力する操作手段と、
前記画像要求操作が入力されると前記画像監視装置に対して前記画像要求信号を送出する送出手段と、
前記画像要求操作が入力されたときに前記記憶手段に警備解除モードが記憶されている場合は、前記送出手段による前記画像要求信号の送出を阻止する阻止手段とを有する
ことを特徴とする画像監視システム。
【請求項３】
監視領域を撮影する撮像手段を有する画像監視装置と、前記撮像手段が撮影した画像を監視する監視センタ装置とからなる画像監視システムにおいて、
前記画像監視装置は、
前記撮像手段のほかに、前記撮像手段により撮影した画像、前記監視領域の現状態及び警備モードを通信回線を介して前記監視センタ装置に送出する伝送手段と、
前記監視センタ装置からの画像要求信号を受信すると、前記伝送手段により画像を送出させる制御手段とを有し、
前記監視センタ装置は、
前記画像監視装置から受信した前記現状態及び警備モードを記憶する記憶手段と、
前記画像監視装置から受信した前記監視領域の画像を表示する表示手段と、
監視員による画像要求操作を入力する操作手段と、
前記画像要求操作が入力されると前記画像監視装置に対して前記画像要求信号を送出する送出手段と、
前記画像要求操作が入力されたときに前記記憶している前記現状態及び警備モードが予め設定されたプライバシー保護に係る組み合わせである場合は、前記送出手段による前記画像要求信号の送出を阻止する阻止手段とを有する
ことを特徴とする画像監視システム。
【請求項４】
監視領域を撮影する撮像手段を有する画像監視装置と、前記撮像手段が撮影した画像を監視する監視センタ装置とからなる画像監視システムにおいて、
前記画像監視装置は、
前記撮像手段のほかに、前記撮像手段により撮影した画像を通信回線を介して前記監視センタ装置に送出する伝送手段と、
前記監視センタ装置からの画像要求信号を受信すると、前記伝送手段により画像を送出させる制御手段とを有し、
前記監視センタ装置は、
前記監視領域を撮影する撮像手段のうち前記監視センタ装置における監視が禁止される特定の撮像手段を記憶する記憶手段と、
前記画像監視装置から受信した前記監視領域の画像を表示する表示手段と、
監視員による画像要求操作を入力する操作手段と、
前記画像要求操作が入力されると前記画像監視装置に対して前記画像要求信号を送出する送出手段と、
前記画像要求操作が前記記憶手段に記憶された前記特定の撮像手段に対する画像要求である場合は、前記送出手段による前記画像要求信号の送出を阻止する阻止手段とを有する
ことを特徴とする画像監視システム。
【発明の詳細な説明】
【０００１】
【発明の属する技術分野】
本発明は、監視領域を監視カメラにて撮影し、この撮影した画像を監視センタ装置により監視する画像監視システムに関する。
【０００２】
【従来の技術】
従来より、種々の画像監視システムが実用化されている。以下、画像監視システムを警備システムに適用した例について説明をする。
複数の警備領域を、遠隔地の警備センタにて集中監視する警備システムがある。この警備システムでは、各警備領域毎にコントローラが設置され、警備センタ装置と電話回線を介して接続される。コントローラには、警備領域内に配置した侵入者検出センサ、火災検出センサなどの各種センサ、監視領域を撮影する監視カメラが接続される。警備センタ装置では、各コントローラからの画像情報を電話回線を介して受信し、警備領域を監視する。
【０００３】
警備センタでは、コントローラから異常通報があった時、各コントローラに対して、監視カメラが撮影している画像（現画像）を送信するように制御し、受信した現画像を監視員が見て監視領域の状態を確認する。従来においては、監視員は、異常通報時でなくても、随時、コントローラから監視カメラの画像を送出させ、監視領域の画像を見ることができた。
【０００４】
【発明が解決しようとする課題】
しかし、利用者にとっては、監視カメラが撮影する画像が随時外部から見られるということは、プライバシー上の問題、営業上の秘密保持などの点から、好ましいことではない。また、警備センタの監視員にとっても、警備領域が警戒解除モードにあるとき、又は、警戒セットモード中であっても警備領域が正常状態であれば、監視領域の画像を見る必要性はない。
【０００５】
そこで、本発明は、監視センタ装置において、監視対象の画像を、セキュリティ上必要なときは確実に見ることができるが、不必要な場合には見ることができないようにできる画像監視システムを提供することを目的とする。
【０００６】
【課題を解決するための手段】
本発明は、上記目的を達成するためになされたものである。本発明の画像監視システムは、監視領域を撮影する撮像手段を有する画像監視装置と、前記撮像手段が撮影した画像を監視する監視センタ装置とからなり、前記監視センタ装置は、前記監視領域の画像を表示する表示手段と、前記撮像手段に対して画像要求信号を送出する送出手段と、予め条件が設定され、設定した条件が満たされるとき、前記送出手段による画像要求信号の送出を阻止する阻止手段とを有し、前記画像監視装置は、前記撮像手段のほかに、前記撮像手段により撮影した画像を通信回線を介して前記監視センタ装置に送出する伝送手段と、前記監視センタ装置からの画像要求信号を受信すると、前記伝送手段により画像を送出させる制御手段とを有する。
【０００７】
阻止手段に予め設定しておく条件としては、例えば、警備領域が正常状態の場合、又は、警備モードが警戒解除モードである場合などがある。阻止手段は、設定された条件が満たされたとき、即ち、警備領域が正常である場合、又は、警備モードが警戒解除モードである場合などに、送出手段が画像要求信号を送出することを阻止する。
【０００８】
警備センタでは、警備領域が警戒セットモード中で、異常通報があったときに、警備センタ装置を操作して、画像監視装置に対して画像要求信号を送出する。この場合は、阻止手段は送出手段による画像要求信号の送出を阻止しないので、画像要求信号が送出され、画像監視装置から要求された画像が送られてくる。警備センタ装置では監視領域の画像を見て状況を確認する。
【０００９】
一方、警備領域が警戒解除モード中の場合、又は、警戒セットモード中であっても、正常状態である場合、阻止手段は、画像要求信号が送出手段から送出されることを阻止する。したがって、警備センタ装置において画像要求の操作がされても、画像要求信号が送出されないので、警備センタ装置において画像の表示がされない。したがって、利用者は、外部において不必要な画像を見られることがなくなる。
【００１０】
なお、画像監視装置は、画像のほかに警備領域の状態が変化する都度、現状態を監視センタ装置に送出する。監視センタ装置には、受信した現状態を記憶する記憶手段が設けられる。阻止手段は、記憶手段に正常状態が記憶されているとき、送出手段による画像要求信号の送出を阻止する。なお、警備領域が正常状態である場合でも、特定の条件にある画像については、画像送出を許可できるようにすることは任意である。
【００１１】
阻止手段に設定する条件が警備解除モードである場合、画像監視装置の伝送手段は、画像のほかに監視領域の警備モードを監視センタ装置に送出する。監視センタ装置には、受信した警備モードを記憶する記憶手段が設けられる。阻止手段は、記憶手段に警戒解除モードが記憶されているとき、送出手段による画像要求信号の送出を阻止する。この場合も、特定の条件にある画像については、画像送出を許可するようにすることは任意である。
【００１２】
また、本発明においては、監視領域を撮影する撮像手段のうち、特定の撮像手段が撮影する画像に対する画像要求信号の送出を阻止することができる。これにより、特定された撮像手段が撮影した画像は、警戒セットモード中に異常が発生したような場合であっても外部には送出されない。
この場合、監視センタ装置に、当該撮像手段を記憶する記憶手段が設けられる。阻止手段は、記憶手段に記憶された撮像手段に対する画像要求信号が送出手段から送出されることを阻止する。なお、この場合も、特定の撮像手段が撮影した画像であっても、ある条件が満たされるときは、画像要求信号を送出することを許可するようにすることができる。
【００１３】
本発明によれば、警備センタ装置において、監視対象の画像を、セキュリティ上必要なときは見ることができるが、不必要な場合には見ることができないようにすることができる。これにより、プライバシーの保護などが保たれる。
【００１４】
【発明の実施の形態】
本発明の画像監視装置を警備システムに適用した例について、図を用いて説明する。
図１は、警備システムの全体構成を示す。
監視対象となる建物（警備領域）にコントローラ１が設置され、このコントローラ１に、画像センサ２、非常ボタン３、侵入センサ４、モード設定器５が接続される。コントローラ１は、通信回線としての電話回線６を介して、遠隔地の警備センター７と接続される。
【００１５】
画像センサ２は、建物内に複数設置され、窓、ドアなどの監視対象を含む監視領域を撮影する。また、画像センサ２は、得られた画像から侵入などの異常の有無を判定する機能を有する。
非常ボタン３が押される、又は、侵入センサ４が侵入異常を検出すると、コントローラ１から電話回線６を介して警備センタ装置７に異常信号が送出される。警備センタ装置７では、異常信号を受信すると、必要に応じて、監視員がコントローラ１に対して、画像センサ２が撮影している現画像の送出を要求する画像要求信号を送出する。コントローラ１では、画像要求信号を受信すると、画像センサ２が撮影した現画像を警備センタ装置７に対して送出する。
【００１６】
画像センサ２において侵入異常が検出されると、コントローラ１は、異常信号を警備センタ装置７に送出する。同時に、画像センサ２に対して異常画像、現画像などの送出を要求し、送信されてきた画像を警備センタ装置７に送出する。
図２は、コントローラ１の構成を示す。
コントローラ１には、ＭＰＵ、ＲＯＭ，ＲＡＭなどの周辺回路により構成される制御部１０１と電源回路１０２が設けられる。コントローラ１内の各部分は、制御部１０１により制御され、電源回路１０２から電力の供給を受ける。電源回路１０２は、外部からのＡＣ電圧をＤＣ電圧に変換する変換回路とバッテリを有する。また、モード設定器５が接続される。
【００１７】
コントローラ１には、更に、以下の部分が設けられる。
センサ監視回路１０３は、非常ボタン３、侵入センサ４とのインターフェースである。モデム１０４が電話回線６との間に設けられる。画像センサ通信制御部１０５は、画像センサ２と接続される。映像入出力制御部１０６は、画像センサ２と接続される。この映像入出力制御部１０６は、画像センサ２から送られてきた映像信号を、モデム１０４と外部に接続されたモニタ装置８に分配する。
【００１８】
表示部１０７は、通常は、監視領域の監視状態を画面上に表示し、異常が検出されたときは、ブザーを鳴動させ、画面上に異常の種類、異常発生箇所などを表示する。また、表示部１０７は、画像センサ２の設定作業時にも使用される。操作手段１０８は、画像センサ２の初期設定又は設定変更時に使用される。機器状態検出部１０９は、コントローラ１の機器異常の有無を検出する。
【００１９】
図３は、画像センサ２の構成を示す。
画像センサ２には、ＣＰＵ、ＲＯＭ，ＲＡＭなどの周辺回路により構成される制御手段２０１と電源２０２が設けられる。画像センサ２内の各部は、制御手段２０１により制御され、電源２０２から電力の供給を受ける。電源２０２は、外部から供給されるＡＣ電圧をＤＣ電圧に変換する変換装置から構成される。なお、電源２０２を画像センサ２内に設ける代わりに、コントローラ１から電力供給をさせても良い。
【００２０】
また、制御手段２０１には記憶手段２２０が接続される。記憶手段２２０には、画像センサ２に所定の動作を実行させるためのプログラム、パラメータ、監視領域が異常か正常かを記憶する領域、監視領域が警戒セットモード又は警戒解除モードのいずれにあるかを記憶する領域、撮像手段２０３が撮影した現画像及び異常画像を含む所定枚数の画像を記憶する領域を備える。
【００２１】
監視領域を撮影する撮像手段２０３は、ＣＣＤカメラにより構成され、可視領域から赤外領域までの感度を有する。赤外線投光手段２０４が設けられ、夜間など暗くなった時に、監視領域に赤外線が投光される。
画像処理手段２０５は、記憶手段２２０に記憶された画像に基づいて、監視領域に異常が発生したか否かを判定する。なお、この手法については、公知のものであり、本発明と直接関係がないので、詳細な説明は省略する。表示手段２０６は、ＬＥＤにより構成され、異常検出時に点灯し、非検出時には消灯して、異常検出の有無を画像センサ２の外部に表示する。
【００２２】
通信手段２０７は、コントローラ１と信号の送受信を行うインターフェースで、コントローラ１の画像センサ通信制御部１０５と接続される。
画像出力手段２０８は、記憶手段２２０に記憶していた画像を出力するためのインターフェースで、コントローラ１の映像入出力制御部１０６へ接続される。アドレス設定部２１０は、ディップスイッチにより構成され、コントローラ１が画像センサ２を特定するためのアドレスが設定される。操作手段２１１は、電源をオンオフするための手段である。
【００２３】
図４は、警備センタ装置７の構成を示す。ここでは、画像監視システムに関する部分のみを示している。
警備センタ装置７には、ＭＰＵ、ＲＯＭ，ＲＡＭなどの周辺回路により構成される制御部７０１が設けられ、警備センタ装置７内の各部は、制御部７０１により制御される。
【００２４】
電話回線６を通してコントローラ１と通信を行う通信インターフェース７０２が設けられる。コントローラ１から送られた映像信号及びその関連の信号は、記憶部７０３に記憶される。
制御部７０１は、異常信号を受信すると、モニタ７０４に、異常が発生したこと、異常発生物件名、異常発生箇所などを表示し、異常発生時の画像を表示する。なお、モニタ７０４は、画像出力部７０６を介して制御部７０１と接続される。管制員は、操作部７０５を操作して、画像表示など種々の操作を行う。
【００２５】
図５は、警備センタ装置７の記憶部７０３の構成を示す。
記憶部７０３には、パラメータを記憶したパラメータ領域７１１、監視センタ装置７における監視が禁止される画像センサのアドレスを記憶しておく画像センサアドレス領域７１２、監視領域の状態、即ち、異常が発生しているか又は正常であるかの区別、及び、異常の種類（機器異常（コントローラ１自体の異常）、侵入異常、非常異常）を記憶する状態領域７１３、監視領域が警戒セットモード又は警戒解除モードのいずれにあるかを記憶するモード領域７１４、画像送出の許可／不許可を決めるためのテーブル領域７１５が設けられる。このテーブル領域７１５の内容については後述する。
【００２６】
次に、コントローラ１の動作について説明する。
図６は、コントローラ１における、各画像センサ２への状態確認処理を示すフローチャートである。コントローラ１は、各画像センサ２に対して順次、状態確認処理を行う（ポーリング）。なお、画像センサ２以外のセンサ、つまり、非常ボタン３、侵入センサ４については、コントローラ１は、センサ監視回路１０３により常時信号を受け付けている。
【００２７】
ステップＳ１１で、１つの画像センサ２に対して状態呼出信号を送信する。これに対して、画像センサ２は状態信号を送出する。ステップＳ１２で、当該画像センサ２から送出された状態信号を受信する。ステップＳ１３で、受信した状態信号が異常信号か否かを判定する。異常信号を受信してなければ、ステップＳ１１へ戻る。異常信号を受信していれば、ステップＳ１４で、当該画像センサ２のアドレス及び異常状態にあることを記憶し、ステップＳ１１へ戻る。以上のステップが各画像センサ２に対して順次実行される。
【００２８】
図７は、コントローラ１における、警備領域で異常が検出された場合の処理を示すフローチャートである。
警備領域内に異常が発生し、画像センサ２、非常ボタン３又は侵入センサ４から異常検知信号が送信されると、ステップＳ２１で、コントローラ１がこれを受信する。ステップＳ２２で、状態領域１１４に、警備領域が異常状態であることを記憶する。ステップＳ２３で、コントローラ１は、ダイアリングをして、警備センタ装置７との接続処理を行う。ステップＳ２４で、受信した異常信号が画像センサ２からのものか否かを判定する。
【００２９】
ここで、受信した異常信号が、画像センサ以外のセンサ３，４から受信したものであれば、ステップＳ２５で警備センタ装置７へ異常信号を送信する。この異常信号には、異常が発生した領域、異常の種類など、必要な情報が含まれる。異常信号の送信終了後に、ステップＳ３０で警備センタ装置７との切断処理を行う。
【００３０】
警備センタ装置７で異常信号を受信すると、監視員はモニタ７０３に表示された情報に基づいて必要な措置をとる。また、必要な場合は、異常が発生した領域を撮影した画像の送信を要求する信号をコントローラ１に送出する。コントローラ１が画像要求信号を受信した場合の動作については後述する。
ステップＳ２４で、異常信号を画像センサ２から受信したと判定したときは、ステップＳ２６で、当該画像センサ２へ異常画像送信を要求する信号を送出する。ステップＳ２７で画像センサ２から異常画像を受信すると、ステップＳ２８で警備センタ装置７へ、異常信号及び、異常画像を送出する。この異常信号には、異常が発生した領域、異常の種類など、必要な情報が含まれる。
【００３１】
異常信号及び異常画像の送出が終了すると、ステップＳ２９で、異常を検出した画像センサ２へ、異常画像消去信号を送出する。当該画像センサ２では、この信号を受信すると、記憶していた異常画像を消去し、新たに撮像手段２０３が撮影した現画像を取り込んで、異常発生の有無の検出を継続して行う。
ステップＳ３０で、警備センタ装置７との電話回線６の切断処理を行い、ステップＳ３１で、表示部１０７に異常が発生した旨の表示を行う。
【００３２】
図８は、コントローラ１における、警備モード移行操作時の処理を示すフローチャートである。
モード設定器５でモード移行操作がされると、コントローラ１はステップＳ４１で移行信号を受信する。ステップＳ４２で、警戒セットの操作がされたか否かを判定する。警戒セットの操作がされたときは、ステップＳ４３で、全画像センサ２に対して警戒セットモード信号を送出し、ステップＳ４４で、警備センタ装置へ警戒セットモード信号を送出し、ステップＳ４５で、自己のモード領域に警戒セットモードを記憶する。一方、ステップＳ４２で、警戒セット操作がされたのでなければ、ステップＳ４６で、全画像センサ２に対して警戒解除モード信号を送出し、ステップＳ４７で、警備センタ装置７へ警戒解除モード信号を送出し、ステップＳ４８で自己のモード領域に警戒解除モードを記憶する。
【００３３】
画像センサ２、警備センタ装置７では、それぞれ、受信した状態を記憶部７０３へ記憶する。
図９は、監視センタ装置７における画像要求時の処理を示すフローチャートである。
前述の図７のステップＳ２５で、コントローラ１から警備センタ装置７へ異常信号が送出されると、監視員は、モニタ７０４に表示された情報に基づいて必要な措置をとる。また、必要に応じて、異常が発生した領域を撮影した画像の送出をコントローラ１に対して要求する。
【００３４】
監視員が操作部７０５にて、画像要求操作を行う（ステップＳ５１）と、ステップＳ５２で、記憶部７０３の画像センサアドレス領域７１２を参照して、モニタ不可画像センサに対する画像要求であるか否かがチェックされる。ここで、モニタ不可画像センサである場合は、ステップＳ５３で、モニタ７０４に「画像要求ＮＧ」が表示され、処理が終了する。したがって、画像要求信号がコントローラ１に送出されず、画像が送られてこないので、監視員はその画像を見ることができない。
【００３５】
ステップＳ５２でモニタ不可画像センサでないと判定されると、ステップＳ５４で、記憶部７０３のテーブル領域７１５を参照し、画像の送出が許可された状態にあるか否かがチェックされる。
図１０は、テーブル領域７１５に記憶されたテーブルの内容を示す。ここに示した例では、設定された条件は警備モードと、警備領域の状態である。したがって、ステップＳ５４では、記憶部７０３の状態領域７１３とモード領域７１４に記憶された内容を見に行く。
【００３６】
警戒セットモード中で、異常状態（侵入異常、機器異常、非常異常）である場合は、画像テーブル中の番号１〜３に示されるように、画像送出が許可される。警備領域が正常状態にあれば、警戒セットモード中であってもなくても、番号４、７に示すように、画像送出は不許可となる。警戒解除モード中であれば、警備領域が正常状態であっても異常状態であっても、番号５及び７に示すように、画像送出は不許可となる。
【００３７】
ただし、番号６に示すように、警戒解除モード中であっても、強盗などの侵入により非常ボタンが押された場合（非常異常）は、画像送出が許可となる。なお、テーブルには警備解除モード中で侵入異常というケースが示されていないが、これは、警備解除モード中では、各センサ２，４が侵入異常を検出しないように設定されているためである。
【００３８】
図１０に示した基準は、１つの例であり、種々の変更が可能である。警備センタ側としては、最低限、番号１，３，６の侵入異常、非常異常については、画像を受信しなければならない。その他のケースについては、状況に応じて設定がされる。なお、警備モードに関しては、警戒セットモード及び警戒解モード以外に巡回モード、保守モードなどがあり、それぞれモードに応じてテーブルを作成してもよい。
【００３９】
また、非常ボタン３又は侵入センサ４の設置場所と画像センサ２を対応付けたテーブルを設けて、例えば、異常を検知した侵入センサ４に対応する画像センサ２に対する画像要求信号を送出させ、他の画像センサ２に対する画像要求信号の送出は阻止させるようにしてもよい。これにより、例えば、警備領域内が複数の部屋などに分けられており、同一の部屋に設置されている侵入センサ４と画像センサ２とをテーブルにて対応づけると、警備センタ装置７では、異常の発生している部屋の画像センサ２の画像を見ることができるが、異常発生していない部屋の画像センサ２の画像を見ることができないので、警備領域のプライバシーを保護できる。
【００４０】
図９に戻ると、ステップＳ５４で、画像送出許可状態でないと判定されると、ステップＳ５３へ進み、モニタ７０４に画像要求ＮＧの表示がされる。また、画像送出許可状態であると判定されると、ステップＳ５５で、通信インターフェース７０２から、コントローラ１に対して画像要求信号が送出されて、処理が終了する。
【００４１】
図１１は、コントローラ１における、警備センタ装置７から画像要求信号を受信した場合の処理を示すフローチャートである。
コントローラ１では、ステップＳ６１で画像要求信号を受信すると、以下の処理を実行する。ステップＳ６２で、画像要求信号で指定された画像センサ２へ画像要求信号を送出する。
【００４２】
画像センサ２は画像要求信号に従って撮影した画像を送出し、ステップＳ６３で、コントローラ１はこの現画像を警備センタ装置７へ転送する。警備センタ装置７では、モニタ７０４上で監視領域の現状態を示す画像を見て状態を確認する。画像の受信が必要なくなると、コントローラ１に対して画像停止信号を送出する。コントローラ１は、ステップＳ６４で、画像停止信号を受信すると、ステップＳ６５で当該画像センサ２へ画像停止信号を送出して、処理を終了する。当該画像センサ２では、画像の送出を停止する。
【００４３】
なお、以上の説明においては、画像送出の許可／不許可を決めるテーブルは、全画像に共通して設けられている。これに対し、画像センサ２ごとに異なるテーブルを設けて、よりきめ細かい制御をすることもできる。
また、以上の説明においては、監視センタ装置７において、条件を設定し、設定された条件が満たされるとき、画像要求信号の送出が阻止しているが、これに加えて、コントローラ１側でも、画像の送出を阻止する阻止手段を設けることができる。この場合は、コントローラ１の記憶部１１０に、画像センサアドレス領域とテーブル記憶領域を設け、ここに、送出を阻止する画像センサ或いは、画像要求信号送出の許可不許可を決める条件を設定する。これにより、監視センタ装置７から画像要求信号を受信しても、コントローラ１側（利用者側）で特定の画像の送出を拒否することができる。
【図面の簡単な説明】
【図１】本発明の画像監視システムを適用した警備システムの全体構成を示す図。
【図２】図１におけるコントローラの構成を示す図。
【図３】図１における画像センサの構成を示す図。
【図４】図１における警備センタ装置の構成を示す図。
【図５】図４における記憶部の構成を示す図。
【図６】図２のコントローラの動作を示すフローチャート（その１）。
【図７】図２のコントローラの動作を示すフローチャート（その２）。
【図８】図２のコントローラの動作を示すフローチャート（その３）。
【図９】図４の監視センタ装置の動作を示すフローチャート。
【図１０】図９のフローで使用されるテーブルの内容を示す図。
【図１１】図２のコントローラの動作を示すフローチャート（その４）。
【符号の説明】
１…コントローラ
１０１…制御部
１０２…電源回路
１０３…センサ監視回路
１０４…モデム
１０５…画像センサ通信制御部
１０６…映像入出力制御部
１０７…表示部
１０８…操作手段
１０９…機器状態検出部
１１０…記憶部
２…画像センサ
２０１…制御手段
２０２…電源
２０３…撮像手段
２０４…赤外線投光手段
２０５…画像処理手段
２０６…表示手段
２０７…通信手段
２０８…画像出力手段
２１０…アドレス設定部
２１１…操作手段
２２０…記憶手段
３…非常ボタン
４…侵入センサ
５…モード設定器
６…電話回線
７…警備センタ装置
７０１…制御部
７０２…通信インターフェース
７０３…画像情報記憶部
７０４…モニタ
７０５…操作部
７０６…画像出力部
７１１…パラメータ領域
７１２…画像センサアドレス領域
７１３…状態領域
７１４…モード領域
７１５…テーブル領域
８…モニタ装置
【図１】
0003939023.tif 000002
【図２】
0003939023.tif 000003
【図３】
0003939023.tif 000004
【図４】
0003939023.tif 000005
【図５】
0003939023.tif 000006
【図６】
0003939023.tif 000007
【図７】
0003939023.tif 000008
【図８】
0003939023.tif 000009
【図９】
0003939023.tif 000010
【図１０】
0003939023.tif 000011
【図１１】
0003939023.tif 000012